(57)【要約】【課題】回転爪と可動爪の各挟持面の間で結束紐を確実に挟持することができ、使用する結束紐の種類にかかわらず集束稈を確実に結束することができる農用結束装置を提供する。【解決手段】ビル４０で結束紐５０を挟持する際、回転爪４２の挟持面４２ａに形成された挟持溝４２ｂに可動爪４５の挟持面４５ａが嵌入して、結束紐５０を折り曲げるようにして挟持する。結束紐５０がＰ・Ｐ紐であっても、結束紐５０と、前記回転爪４２の挟持溝４２ｂの開口部の角４３ｃ及び可動爪４５の挟持面４５ａの角４５ｂで発生する摩擦力により、不必要な結束紐の横移動を規制して、結束紐５０を確実に挟持することができ、確実な結節動作を行なわせることができる。【選択図】　　　図３
2004033156.tif 000002
【特許請求の範囲】
【請求項１】
回転軸に固定された回転爪と、該回転爪に揺動自在に支持された可動爪とからなるビルを有し、該回転爪と可動爪の相対向する各挟持面で、集束稈に掛け回された結束紐を挟持して結節するようにした農用結束装置において、
前記回転爪及び可動爪の何れか一方の爪の挟持面に、該爪の長手方向に延びる挟持溝を形成し、
前記回転爪と可動爪の各挟持面で結束紐を挟持する際、他方の爪の挟持面もしくはその一部が、前記挟持溝内に嵌入して挟持溝内で結束紐を挟持するようにした、
ことを特徴とする、農用結束装置。
【請求項２】
前記可動爪の先端部に、前記挟持溝を横切る方向の凹状の空間部を形成し、
結節時に、前記回転爪と可動爪の挟持面の間から抜けた結束紐が前記空間部に入り込む構成とした、
ことを特徴とする、請求項１記載の農用結束装置。
【発明の詳細な説明】
【０００１】
【発明の属する技術分野】
本発明は、バインダやコンバイン等に用いられる農用結束装置に関する。
【０００２】
【従来の技術】
バインダやコンバイン等に装着されて、刈取った穀稈や脱穀された排稈を結束する農用結束装置は、例えば、特許第３１０１４９６号公報に示されるように、結束紐の一端を保持するホルダと、結束紐を引き回すニードルと、結束紐を結節するビルとを有し、ホルダとニードルとの間に張渡された結束紐に沿って集積された集束稈に、ニードルの移動により結束紐を掛け回し、この結束紐をビルで挟持して結節し、集束稈の結束を行なうように構成されている。
【０００３】
前記ビルは、回転軸に固定された回転爪と、該回転爪に揺動自在に支持された可動爪とを有し、それぞれ平面で形成された該回転爪の挟持面と該可動爪の挟持面とを相対向するように配置すると共に、該回転爪の挟持面に、この挟持面より幅の狭い凸部を該可動爪の挟持面に向けて突出するように形成し、該回転爪と可動爪が閉じた状態で、該回転爪の挟持面の凸部と、平面である該可動爪の挟持面との間隔が、結束紐の直径より小さくなるように構成している。
【０００４】
従って、前記ビルは、ジュート紐、サイザル紐等、天然繊維を原料とする結束紐の結節を行なう場合、結束紐の変形量が小さいので結束紐を、結束紐の横移動を規制するのに充分な挟持力で挟持することができ、結節作業中結束紐を確実に挟持し良好な結節動作を行なわせることができる。
【０００５】
【発明が解決しようとする課題】
しかし、Ｐ・Ｐ紐のように、石油化学製品を原料とする結束紐の場合には、前記ビルで結束紐を挟持したとき、結束紐が潰れて、結束紐に充分な挟持力を作用させることができないため、結束紐に横滑り等不要な動きが発生し、束締りが弛み勝ちになる等、確実な結束ができないことがある。また、結び目外側に形成される環状部分（以下、ループという）が小さくなって結び目が解けやすくなる等、穀稈の結束が不安定になることがある。
【０００６】
前記の事情に鑑み、本発明は、使用する結束紐の種類にかかわらず、結束紐を確実に挟持して、集束稈の結束を確実に行えるようにした農用結束装置を提供することを目的とする。
【０００７】
【課題を解決するための手段】
請求項１に係る発明は、回転軸（４１）に固定された回転爪（４２）と、該回転爪（４２）に揺動自在に支持された可動爪（４５）とからなるビル（４０）を有し、該回転爪（４２）と可動爪（４５）の相対向する各挟持面（４２ａ、４５ａ）で、集束稈に掛け回された結束紐（５０）を挟持して結節するようにした農用結束装置において、
前記回転爪（４２）及び可動爪（４５）の何れか一方の爪の挟持面（４２ａ）に、該爪の長手方向に延びる挟持溝（４２ｂ）を形成し、
前記回転爪（４２）と可動爪（４５）の各挟持面（４２ａ、４５ａ）で結束紐（５０）を挟持する際、他方の爪（４５）の挟持面（４５ａ）もしくはその一部が、前記挟持溝（４２ｂ）内に嵌入して挟持溝内で結束紐（５０）を挟持するようにした、
ことを特徴とする、農用結束装置にある。
【０００８】
請求項２に係る発明は、前記可動爪（４５）の先端部に、前記挟持溝（４２ｂ）を横切る方向の凹状の空間部（４５ｃ）を形成し、
結節時に、前記回転爪（４２）と可動爪（４５）の挟持面（４２ａ、４５ａ）の間から抜けた結束紐（５０）が前記空間部（４５ｃ）に入り込む構成とした、
ことを特徴とする、請求項１記載の農用結束装置にある。
【０００９】
なお、括弧内の符号等は、図面と対照するためのものであり、これは、発明の理解を容易にするための便宜的なものであって、特許請求の範囲に何等影響を及ぼすものではない。
【００１０】
【発明の実施の形態】
以下、本発明の実施の形態を図面に基づいて説明する。
【００１１】
図１は、本発明による農用結束装置を備えたバインダの斜視図である。同図において、バインダ１は、左右一対の車輪２、２（図１では走行方向右側のみ図示）を備えた走行機体３の前部に左右一対のソリ５、５を有し、該ソリ５、５の先端には、穀稈を分草するためのデバイダ６、６が配置されている。前記ソリ５、５上には、刈取り部７が配置され、該刈取り部７は、前記デバイダ６、６で分草された穀稈の引起しを行なう引起し部８と、該引起し部８により引き起こされた穀稈の刈り取りを行なう刈刃１０と、刈取った穀稈４８（図２参照）を案内する搬送カバー１１を備えている。一方、前記機体３の後方には、操作ハンドル１３が延設されている。
【００１２】
また、前記ソリ５、５の一方の後部には、農用結束装置２０が配置され、その上方に、前記刈取り部７により刈取られ後述する集稈室２１（図２参照）に掻き込まれた穀稈４８の穂先部を支持するように、前記搬送カバー１１に向けて突出するアッパードア１５が配置されている。前記アッパードア１５は、ねじりばねで構成され、位置決め用の複数の穴１６が形成されたピン１７に、刈取る穀稈４８の長さに応じて高さ調整可能に装着され、該穴１６に着脱自在に挿入されるスナップピン１８（又は、割りピン）により位置決めされている。
【００１３】
図２は、農用結束装置の平面図、図３は、本発明によるビルを示し、（ａ）は、拡大平面図、（ｂ）は、（ａ）のＢ−Ｂ断面図、（ｃ）は、（ａ）のＣ−Ｃ断面図である。図２において、農用結束装置２０は、前記刈取り部５で刈取った穀稈４８を集める集稈室２１の一方（図２では紙面の左側）に配置され、前記刈取り部５から送られてくる穀稈４８を該集稈室２１に掻き込む集稈装置２２と、前記集稈室２１の他方（図２では紙面の右側）に配置され、該集稈室２１に集められた穀稈４８に掛け回された結束紐５０を結節する結節装置３０とを備えている。
【００１４】
前記集稈装置２２は、前記集稈室２１の一方（図２では紙面の下側）に突出するように揺動自在に配置され、該集稈室２１に送り込まれる穀稈４８の株元側を支持すると共に、所定量の穀稈４８が集積されたことを検知するためのドア２３と、該集稈室２１の他方（図２では紙面の上側）に突出するように揺動自在に配置され、該集束室２１に向けて穀稈４８を掻き込むと共に、掻き込んだ穀稈４８を該ドア２３に向けて押し込むパッカ２５と、該集稈室２１内に集められた穀稈４８に結束紐５０を掛け回すニードル２６とを備えている。
【００１５】
前記結節装置３０は、ノッターガイド３１に配置されたノッターヘッド３２に回転自在に支持され、結束紐５０の一端を保持すると共に、新たに保持した結束紐５０を切断するホルダ３３と、結束紐５０を挟持し結び目５１（図１０参照）を形成するビル４０と、結束紐５０が掛け回された穀稈４８を機外に放出するスイーパ４７とを備えている。
【００１６】
前記ホルダ３３は、該ホルダ３３との間で前記結束紐５０の一端を保持する保持爪３５（図４参照）と、前記ホルダ３３に配置され、前記結束紐５０を切断するナイフ３６を有している。
【００１７】
なお、前記ノッターガイド３１には、穀稈４８の結束時に前記ビル４０が回転したとき、穀稈４８に掛け回された結束紐５０を該ビル４０の外周に巻き取れるように結束紐５０の経路を規制する第１のガイド３７が配置されている。また、前記ノッターガイド３１の一部が、結び目５１を形成する際に、その結び目５１の位置を規制する第２のガイド３８を構成している。
【００１８】
図３（ａ）に示すように、前記ビル４０は、前記ノッターヘッド３２に回転自在に支持された回転軸４１に固定された回転爪４２と、該回転爪４２にピン４３を介して揺動自在に支持された可動爪４５とを有し、該回転爪４２と可動爪４５により前記集稈室２１に集積された穀稈４８に掛け回された結束紐５０を挟持するように構成されている。
【００１９】
図３（ｂ）に示すように、前記回転爪４２の前記可動爪４５と対向する挟持面４２ａには、該回転爪４２の長手方向に延びる挟持溝４２ｂが形成されている。一方、前記回転爪４２の挟持面４２ａと対向する前記可動爪４５の挟持面４５ａは、前記挟持溝４２ｂに嵌入するように形成されている。そして、前記回転爪４２の挟持溝４２ｂの底面と前記可動爪４５の挟持面４５ａとの間に結束紐５０を挟持したとき、該可動爪４５の挟持面４５ａが、該挟持溝４２ｂ内に深さＫだけ嵌入されるように形成されている。
【００２０】
また、図３（ａ）及び（ｃ）に示すように、前記可動爪４５の先端側には、前記挟持溝４２ｂを横切る方向の空間部４５ｃが形成されている。前記空間部４５ｃは、結束紐５０が掛け回された穀稈４８の束が前記スイーパ４７で押され結束紐５０を結節する際に、結束紐５０の前記回転爪４２と可動爪４５の各挟持面４２ａ、４５ａで挟持された部分を入り込ませ、結束紐５０が結節される前に該回転爪４２と可動爪４５の間から抜け出すのを防止する。
【００２１】
図４乃至図１１は、前記農用結束装置２０における結束過程を模式的に示す工程図である。なお、結束過程に入る前に、前記図２に示すように、結束紐５０が、前記ホルダ３３から前記第１のガイド３７を経由して前記ニードルの間に掛け渡された状態から、前記パッカ２５の揺動により穀稈４８を前記集稈室２１に掻き込む。すると、穀稈４８は、前記ニードル２６の先端から結束紐５０を引き出しながら前記集稈室２１に集積される。所定量の穀稈４８が集積されると、前記ドア２３が揺動して１回転クラッチ（図示せず）が入り、前記農用結束装置２０の他の部材が作動して結束過程が開始される。
【００２２】
まず、図４に示すように、前記ホルダ３３に保持された結束紐５０が、前記第１のガイド３７に掛かっている状態で、前記ニードル２６が矢印Ａ方向に動き始める。
【００２３】
図５に示すように、前記ニードル２６の移動により、結束紐５０を前記集稈室２１に集積された穀稈４８に掛け回す。
【００２４】
図６に示すように、前記ニードル２６がさらに矢印Ａ方向に回動して、前記第１のガイド３７に結束紐５０を掛けながら、その先端が前記ホルダ３３の下を通過した移動端まで移動する。このとき、前記ニードル２６がその移動端に達する直前に、前記回転軸４１が矢印Ｂ方向に回転を開始して、前記回転爪４２と可動爪４５を閉じた状態で、前記ビル４０に結束紐５０を巻き込み始める。前記ニードル２６が移動端に到達し、その移動方向が変わり待機位置へ復帰し始めると、前記ホルダ３３が矢印Ｃ方向に回転を開始して、該ホルダ３３に設けられた前記保持爪３５も結束紐５０を巻き込み始める。
【００２５】
図７に示すように、結束紐５０が、前記ホルダ３３に巻き込まれ、先に保持されていた結束紐５０の端部と新たに巻き込まれた結束紐５０がそろった状態で、結束紐５０が前記ビル４０に巻き込まれる。このとき、前記ビル４０の回転により前記結束紐５０を巻き込むので、前記第１のガイド３７に掛けられた結束紐５０は、該ビル４０に押されて該第１のガイド３７に対して横方向に移動し、該第１のガイド３７から外れ、前記第２のガイド３８に当接する。結束紐５０が前記ビル４０に巻き付けられると、結束紐５０は該ビル４０と前記ホルダ３３の間に張渡された状態となる。この状態で、前記ビル４０は、前記回転爪４２と可動爪４５を開き、前記ビル４０とホルダ３３の間に張渡された結束紐５０を挟持する態勢を作ると共に、その外周に巻き付けた結束紐５０の抜け落ちを防止する。
【００２６】
図８に示すように、さらに前記回転軸４１が回転すると、前記回転爪４２と可動爪４５の各挟持面４２ａ、４５ａが、前記ホルダ３３とビル４０の間に張渡された結束紐５０を挟んで対向する位置へ移動する。このとき、前記ホルダ３３の回転により、前記ニードル２６から引き出されている結束紐５０が前記保持爪３５に巻き込まれ該ホルダ３３に保持される。
【００２７】
図９に示すように、前記ビル４０が１回転すると、前記回転爪４２と可動爪４５の各挟持面４２ａ、４５ａで前記ホルダ３３とビル４０の間に張渡された結束紐５０を挟持する。すると、結束紐５０に作用する張力により、先に前記ホルダ３３に保持されていた結束紐５０の端部が該ホルダ３３から抜き出される。一方、前記図８に示すように、前記ビル４０に遅れて回転する前記ホルダ３３の回転により、該ビル４０とホルダ３３の間に張渡されている結束紐５０に前記ナイフ３６が当接し、結束紐５０を切断する。
【００２８】
この状態では、前記図３（ｂ）に示すように、前記可動爪４５の挟持面４５ａが、前記回転爪４２の挟持面４２ａに形成された前記挟持溝４２ｂに嵌入して結束紐５０を挟持するため、その挟持力によって結束紐５０が潰れても、結束紐５０と、該可動爪４５の挟持面４５ａの両端の角部４５ｂと及び前記回転爪４２の挟持溝４２ｂの両端の角部４２ｃで発生する摩擦力により、前記ビル４０に対する結束紐５０の横方向への不必要な移動を規制することができる。一方、前記ビル４０の長手方向に対する結束紐５０の移動が規制されることはない。従って、結束紐５０がＰ・Ｐ紐のように潰れやすい結束紐であっても、前記ビル４０に対する横方向への不必要な移動を規制することが出来、前記回転爪４２と可動爪４５で確実に挟持することができる。
【００２９】
図１０に示すように、前記スイーパ４７が作動して、穀稈４８の機外への放出が開始されると、前記スイーパ４７に押された穀稈４８の移動により、穀稈４８の周囲に掛け回された結束紐５０が引張られる。すると、前記ビル４０に巻き付けられ、かつ前記回転爪４２と可動爪４５で挟持された結束紐５０は、該ビル４０の先端方向に向けて引張られ、該ビル４０の長手方向に移動する。そして、結束紐５０の前記回転爪４２と可動爪４５で挟持された部分は、先端が閉じた状態にある該可動爪４５の空間部４５ｃに入り込み、一旦その移動が阻止される。一方、結束紐５０の前記ビル４０の外周に巻き付けられた部分は、そのまま該ビル４０の先端に向けて移動して、該ビル４０の先端から節抜きされ、結束紐５０に結び目５１が形成される。これにより穀稈４８が結束される。このとき、結束紐５０には、形成された結び目５１と前記可動爪４５の空間部４５ｃとの距離に応じたループ５２が形成される。
【００３０】
図１１に示すように、前記スイーパ４７に押され、結束された穀稈４８がさらに押されると前記可動爪４５の空間部４５ｃに入り込んだ結束紐５０が、該空間部４５ｃから抜け出す。結束された穀稈４８が前記スイーパ４７でさらに押されると、結束された穀稈４８は機外に放出される。
【００３１】
前述のように、結束紐５０を結節する際に、前記ビル４０の回転爪４２の挟持面４２ａに形成された挟持溝４２ｂと、前記可動爪４５に形成された挟持面４５ａとにより結束紐５０を確実に挟持することができるので、使用する結束紐５０の種類にかかわらず、結び目５１を確実に形成することが出来る。また、前記可動爪４５に形成された空間部４５ｃに結束紐５０が入り込むことにより、所要の大きさのループ５２を確実に形成することができる。
【００３２】
なお、上記の実施の形態においては、前記回転爪４２に挟持溝４２ｂを形成し、該挟持溝４２ｂに前記可動爪４５の挟持面４５ａを嵌入させる場合について説明したが、該可動爪４５に挟持溝を形成し、該回転爪４２に該挟持溝に嵌入する挟持面を形成してもよい。
【００３３】
【発明の効果】
請求項１に係る発明によると、回転爪と可動爪の何れか一方の挟持面に形成された挟持溝内で結束紐を挟持することにより、回転爪と可動爪の各挟持面の間で結束紐を確実に挟持することができ、使用する結束紐の種類にかかわらず集束稈を確実に結束することができる。
【００３４】
請求項２に係る発明によると、結節する際、回転爪と可動爪の挟持面の間から抜け出す結束紐を、可動爪に形成した空間部に入り込ませるようにしたので、結び目に適当な大きさのループを形成することができ、集束稈を確実に結束することができる。
【図面の簡単な説明】
【図１】本発明による農用結束装置を備えたバインダの斜視図。
【図２】本発明による農用結束装置の平面図。
【図３】図２におけるビルの拡大図で、（ａ）は平面図、（ｂ）は、（ａ）のＢ−Ｂ断面図、（ｃ）は、（ａ）のＣ−Ｃ断面図。
【図４】本発明による農用結束装置における結束過程を模式的に示す工程図。
【図５】本発明による農用結束装置における結束過程を模式的に示す工程図。
【図６】本発明による農用結束装置における結束過程を模式的に示す工程図。
【図７】本発明による農用結束装置における結束過程を模式的に示す工程図。
【図８】本発明による農用結束装置における結束過程を模式的に示す工程図。
【図９】本発明による農用結束装置における結束過程を模式的に示す工程図。
【図１０】本発明による農用結束装置における結束過程を模式的に示す工程図。
【図１１】本発明による農用結束装置における結束過程を模式的に示す工程図。
【符号の説明】
４０…ビル
４１…回転軸
４２…回転爪
４２ａ…挟持面
４２ｂ…挟持溝
４５…可動爪
４５ａ…挟持面
４５ｃ…引掛溝
５０…結束紐
５１…結び目
５２…ループ
【図１】
2004033156.tif 000003
【図２】
2004033156.tif 000004
【図３】
2004033156.tif 000005
【図４】
2004033156.tif 000006
【図５】
2004033156.tif 000007
【図６】
2004033156.tif 000008
【図７】
2004033156.tif 000009
【図８】
2004033156.tif 000010
【図９】
2004033156.tif 000011
【図１０】
2004033156.tif 000012
【図１１】
2004033156.tif 000013